(57)【要約】【課題】座席の座り心地を向上するための柔軟性と、断線を防止するために必要な基材の硬さを安定して得ることを両立し、座席の座り心地を向上した耐久性の高い面状発熱体を提供すること。【解決手段】面状発熱体１０の基材１１の表面硬さの軟らかい発泡樹脂１１ｂにより、座席の座り心地を向上するための柔軟性を向上できるとともに、基材１１の表面硬さの硬い樹脂フィルム１１ａにより、着座時の荷重ストレスがかかったときに、ヒータ線１２の断線を防止するために必要な硬さを安定して得ることができ、座席の座り心地を向上するとともに、着座時の荷重ストレスがかかったときのヒータ線１２の断線を防止することを両立し、基材１１を硬度の異なる柔軟性を有する材料を溶着させたことにより、着座時の荷重ストレスが繰り返し作用しても、基材１１の硬さが変わらず、発熱体１２の断線を防止するために必要な基材１１の硬さを維持することができる。  【選択図】図１
2007280787.tif 000002
【特許請求の範囲】
【請求項１】
基材と、基材上に配設された発熱体とを備え、前記基材は、硬度の異なる柔軟性を有する材料を溶着させることにより、一つの基材で異なる表面硬さを有するようにした面状発熱体。
【請求項２】
基材の表面硬さの硬い面に発熱体を配設した請求項１に記載の面状発熱体。
【請求項３】
基材は、溶着後においても伸縮性を有する樹脂とした請求項１および２に記載の面状発熱体。
【請求項４】
基材は、基材のうち少なくとも一つは、伸縮性を有する編布または織布とした請求項１〜３に記載の面状発熱体。
【発明の詳細な説明】
【技術分野】
【０００１】
本発明は座席等に用いられる面状発熱体に関するものであり、主に自動車の座席に装着される面状発熱体に関するものである。
【背景技術】
【０００２】
従来、自動車を中心とした座席の暖房方法として、座席内に面状発熱体を装着し、採暖を行う手法が一般的であった。
【０００３】
なお、従来この種の座席に装着される面状発熱体は、座席の座り心地を向上するために、基材の柔軟性が必要であるとともに、着座時の荷重ストレスが直接かかることにより生じるヒータ線からなる発熱体の断線を防止するために、基材の硬さも必要であり、発熱体保持面と逆の面に起毛を施した基材で構成している（例えば、特許文献１参照）。
【０００４】
図９は、従来の面状発熱体を示すものである。
【０００５】
図９に示すように、面状発熱体１は、片面を起毛した基材２と、基材２の起毛面３と逆の面に縫合して保持されたヒータ線４と、ヒータ線４を縫合によって保持するための縫合糸５で構成している。
【０００６】
また、基布に不織布の繊維を絡ませることにより、基布と不織布を一体化した基材で構成したものもある（例えば、特許文献２参照）。
【０００７】
図１０は、他の従来の面状発熱体を示すものである。
【０００８】
図１０に示すように、面状発熱体６は、基布７に不織布８の繊維を絡ませることにより、一体化して形成した基材９で構成している。
【特許文献１】特開平０３−１４５０８９号公報（第３頁、第２図）
【特許文献２】特開平０５−２１１４０号公報（第３頁、第３図）
【発明の開示】
【発明が解決しようとする課題】
【０００９】
しかしながら、前記の従来の構成では、起毛により、基材２の柔軟性を付与しているため、基材２の厚さのばらつきや、起毛深さのばらつきにより、起毛高さが安定せず、所望する硬さが安定して得られず、座席の座り心地を向上するための基材２の柔軟性と、着座時の荷重ストレスがかかったときに、ヒータ線４の断線を防止するための基材２の硬さを両立することが困難であるという課題を有していた。
【００１０】
また、もう一方の従来の構成では、基布７に不織布８の繊維を絡ませることにより、一体化して基材９を形成しているため、着座時の荷重ストレスが、基材９に繰り返し作用することにより、基布７と不織布８の繊維の絡みが除々にほどけ、基材９の硬さが軟らかくなるとともに、最終的には、基材９を形成している基布７と不織布８の繊維がほどけて、基布７と不織布８の層間剥離が発生し、ヒータ線４の断線を防止するための基材９の硬さを維持できないという課題を有していた。
【００１１】
本発明は、前記従来の課題を解決するもので、座席の座り心地を向上するための柔軟性を向上することと、着座時の荷重ストレスが、発熱体に直接かかることによって生じる発熱体の断線を防止するために必要な基材の硬さを安定して得ることを両立し、座席の座り
心地を向上した耐久性の高い面状発熱体を提供すること。および、着座時の荷重ストレスが繰り返し作用しても、基材の硬さが変わらず、発熱体の断線を防止するために必要な基材の硬さを維持できる面状発熱体を提供すること目的とする。
【課題を解決するための手段】
【００１２】
前記従来の課題を解決するために、本発明の面状発熱体は、硬度の異なる柔軟性を有する材料を溶着させた基材とすることにより、一つの基材で異なる表面硬さを有するようにしたものである。
【００１３】
これによって、基材の表面硬さの軟らかい面により、座席の座り心地を向上するための柔軟性を向上できるとともに、基材の表面硬さの硬い面により、着座時の荷重ストレスがかかったときに、発熱体の断線を防止するために必要な硬さを安定して得ることができ、座席の座り心地を向上した耐久性の高い面状発熱体を提供することができる。
【００１４】
また、硬度の異なる柔軟性を有する材料を溶着させた基材とすることにより、基材が強固に一体化されているため、着座時の荷重ストレスが繰り返し作用しても、基材の硬さが変わらず、発熱体の断線を防止するために必要な基材の硬さを維持できる面状発熱体を提供することができる。
【発明の効果】
【００１５】
本発明の面状発熱体は、座席の座り心地を向上するための柔軟性を向上することと、着座時の荷重ストレスが、発熱体に直接かかることによって生じる発熱体の断線を防止するために必要な基材の硬さを安定して得ることを両立し、座席の座り心地を向上した耐久性の高い面状発熱体を提供すること。および、着座時の荷重ストレスが繰り返し作用しても、基材の硬さが変わらず、発熱体の断線を防止するために必要な基材の硬さを維持できる面状発熱体を提供することができる。
【発明を実施するための最良の形態】
【００１６】
第１の発明は、基材と、基材上に配設された発熱体とを備え、前記基材は、硬度の異なる柔軟性を有する材料を溶着させることにより、基材の表面硬さを異なるようにすることにより、基材の表面硬さの軟らかい面により、座席の座り心地を向上するための柔軟性を向上できるとともに、基材の表面硬さの硬い面により、着座時の荷重ストレスがかかったときに、発熱体の断線を防止するために必要な硬さを安定して得ることができ、座席の座り心地を向上した耐久性の高い面状発熱体を提供することができる。
【００１７】
また、硬度の異なる柔軟性を有する材料を溶着させた基材とすることにより、基材が強固に一体化されているため、着座時の荷重ストレスが繰り返し作用しても、基材の硬さが変わらず、発熱体の断線を防止するために必要な基材の硬さを維持できる面状発熱体を提供することができる。
【００１８】
第２の発明は、特に第１の発明の基材の表面硬さよりも硬い発熱体を、基材の表面硬さの硬い面に配設することにより、基材の表面硬さと発熱体の硬さの違いを小さくすることで、発熱体の異物感を緩和することができるため、座席の座り心地をより向上したものである。
【００１９】
第３の発明は、特に第１〜第２の発明の基材の材料を溶着後においても伸縮性を有する樹脂とすることにより、基材が伸縮性を有するため、着座時の基材のつっぱり感を防止し、座席の座り心地をさらに向上することができる。
【００２０】
第４の発明は、特に第１〜第３の発明の基材のうち少なくとも一つは、伸縮性を有する
編布または織布とすることにより、繊維間の空隙が変形することができるので、同質の樹脂フィルムなどに比べて大きな伸縮性を得ることが可能となり、座席の座り心地を向上するための柔軟性をより向上することができる。
【００２１】
以下、本発明の実施の形態について、図面を参照しながら説明する。
なお、本実施の形態によって本発明が限定されるものではない。また、本実施の形態の説明において、同一構成並びに作用効果を奏するところには同一符号を付して重複した説明を行わないものとする。
【００２２】
（実施の形態１）
図１は、本発明の第１の実施の形態における面状発熱体の斜視図を示すものであり、図２は、図１のＡ−Ａ部の拡大断面図である。
【００２３】
図１において、面状発熱体１０は、基材１１と、基材１１上に配設された金属繊維強化作用を利用した銅銀合金の表面にポリウレタンなどからなる絶縁層を有した素線を複数本撚りあわせたヒータ線１２と、ヒータ線１２に電源を供給するための給電線１３とで構成されている。
【００２４】
また、図２に示すように、基材１１は、表面硬さの硬いＴＰＯ樹脂フィルムやポリプロピレン樹脂フィルムなどの樹脂フィルム１１ａと、表面硬さの軟らかいポリエステルフォームやポリウレタンフォームなどからなる発泡樹脂１１ｂとを溶着させて構成している。
【００２５】
さらに、ヒータ線１２は、基材１１の樹脂フィルム１１ａ上に配設され、上糸１４と下糸１５で縫合することにより、基材１１に固定されている。
【００２６】
以上のように構成された面状発熱体について、以下その作用を説明する。
【００２７】
まず、面状発熱体１０の基材１１を、硬度の異なる柔軟性を有する材料を溶着させて構成しているため、基材１１の表面硬さを異なるものとすることができ、基材１１の表面硬さの軟らかい発泡樹脂１１ｂにより、座席の座り心地を向上するための柔軟性を向上できるとともに、基材１１の表面硬さの硬い樹脂フィルム１１ａにより、着座時の荷重ストレスがかかったときに、ヒータ線１２の断線を防止するために必要な硬さを安定して得ることができ、座席の座り心地を向上するとともに、着座時の荷重ストレスがかかったときのヒータ線１２の断線を防止した耐久性の高い面状発熱体１０とすることができる。
【００２８】
さらに、基材１１を硬度の異なる柔軟性を有する材料を溶着させたことにより、基材１１が強固に一体化されているため、着座時の荷重ストレスが繰り返し作用しても、基材１１の硬さが変わらず、発熱体１２の断線を防止するために必要な基材１１の硬さを維持できる面状発熱体１０とすることができる。
【００２９】
さらに、基材１１の材料を、ＴＰＯ樹脂フィルムやポリプロピレン樹脂フィルムなどの樹脂フィルム１１ａと、ポリエステルフォームやポリウレタンフォームなどからなる発泡樹脂１１ｂなどの溶着後においても伸縮性を有する樹脂とすることにより、基材１１が伸縮性を有するため、着座時の基材１１のつっぱり感を防止し、座席の座り心地をさらに向上することができる。
【００３０】
なお、発泡樹脂１１ｂは、ポリエステル、ポリプロピレンなどからなる不織布などでもよい。
【００３１】
（実施の形態２）
図３は、本発明の第２の実施形態の面状発熱体の斜視図であり、図４は、図３のＢ−Ｂ部の拡大断面図である。
【００３２】
図５は、本発明の面状発熱体を装着した座席の斜視図であり、図６は、図５のＣ−Ｃ部の拡大断面図である。
【００３３】
図３および図４において、面状発熱体１６の基材１１は、基材１１の表面硬さを異なるようにするため、硬度の異なる柔軟性を有する材料を溶着させており、基材１１の表面は、基材１１の表面硬さの硬い樹脂フィルム１１ａと表面硬さの軟らかい発泡樹脂１１ｂとで構成されている。
【００３４】
また、ヒータ線１２は、基材１１の表面硬さの硬い樹脂フィルム１１ａ上に配設され、上糸１４と下糸１５で縫合することにより、基材１１に固定されている。
【００３５】
さらに、図５および図６は、本発明の面状発熱体１６の座席１７への装着状態を示したものであり、面状発熱体１６は、座席１７のカバー１８の下面と、メインパッド１９の上面の間に配置されており、メインパッド１９下には鋼板材料やばねからなるフレーム２０によって座席が構成されている。
【００３６】
また、座席１７のメインパッド１９側に、面状発熱体１６の基材１１の表面硬さの硬い樹脂フィルム１１ａ面を配設している。
【００３７】
以上のように構成された面状発熱体について、以下その作用を説明する。
【００３８】
基材１１の表面硬さよりも硬いヒータ線１２を、基材１１の表面硬さの硬い表面硬さの硬い樹脂フィルム１１ａ上に配設しているため、基材１１の表面硬さと発熱体の硬さの違いを小さくすることができ、ヒータ線１２の異物感を緩和し、座り心地をより向上することができる。
【００３９】
さらに、面状発熱体１６は、座席１７のカバー１８の下面と、メインパッド１９の上面の間に、座席１７のメインパッド１９側に、面状発熱体１６の基材１１の表面硬さの硬い樹脂フィルム１１ａ面を配設しているため、面状発熱体１６の基材１１の表面硬さの軟らかい発泡樹脂１１ｂの柔軟性により、ヒータ線１２の異物感をより緩和し、座り心地をさらに向上することができる。
【００４０】
（実施の形態３）
図７は、本発明の第３の実施形態の面状発熱体の拡大断面図、図９は編布の構成を示す拡大図である。
【００４１】
図７において、面状発熱体２１は、金属繊維強化作用を利用した銅銀合金の表面にポリウレタンなどからなる絶縁層を有した素線を複数本撚りあわせたヒータ線１２を上糸１４と下糸１５で縫合することにより、基材２２上に固定して構成されている。
【００４２】
また、基材２２は、表面硬さの硬いポリエステル繊維やポリプロピレン繊維などからなる編布２３と、表面硬さの軟らかいポリエステルフォームやポリウレタンフォームなどからなる発泡樹脂２４とを溶着させて構成している。
【００４３】
また、図８に示すように、編布２３は、ポリエステル繊維やポリプロピレン繊維２５を編むことにより布体としており、繊維２５間には空隙２６が存在している。
【００４４】
以上のように構成された面状発熱体について、以下その作用を説明する。
【００４５】
基材２２の表面硬さの硬い面を、ポリエステル繊維やポリプロピレン繊維などからなる編布２３とすることにより、繊維２５間の空隙２６が変形することができるので、同質の樹脂フィルムなどに比べて大きな伸縮性を得ることが可能となり、座席の座り心地を向上するための柔軟性をより向上することができる。
【００４６】
なお、編布２３は、織布でもよい。
【産業上の利用可能性】
【００４７】
以上のように、本発明にかかる面状発熱体は、座席の座り心地を向上するとともに、着座時の荷重ストレスがかかったときの、発熱体の断線を防止した耐久性の高い面状発熱体を提供することが可能となるため、電車、航空機の座席や、マッサージ椅子の暖房用途にも応用できる。
【図面の簡単な説明】
【００４８】
【図１】本発明の実施の形態１における面状発熱体の斜視図
【図２】本発明の実施の形態１における面状発熱体を示す拡大断面図
【図３】本発明の実施の形態２における面状発熱体の斜視図
【図４】本発明の実施の形態２における面状発熱体を示す拡大断面図
【図５】本発明の実施の形態２における面状発熱体を装着した座席の斜視図
【図６】本発明の実施の形態２における面状発熱体を装着した座席を示す拡大断面図
【図７】本発明の実施の形態３における面状発熱体を示す拡大断面図
【図８】編布の構成を示す拡大図
【図９】従来の面状発熱体の拡大側断面図
【図１０】他の従来の面状発熱体の拡大断面図
【符号の説明】
【００４９】
１０  面状発熱体
１１  基材
１１ａ  樹脂フィルム
１１ｂ  発泡樹脂
１２  ヒータ線
【図１】
2007280787.tif 000003
【図２】
2007280787.tif 000004
【図３】
2007280787.tif 000005
【図４】
2007280787.tif 000006
【図５】
2007280787.tif 000007
【図６】
2007280787.tif 000008
【図７】
2007280787.tif 000009
【図８】
2007280787.tif 000010
【図９】
2007280787.tif 000011
【図１０】
2007280787.tif 000012